(57)【要約】  【課題】内側下部の空間への収納を可能とする自動販売機を提供すること。  【解決手段】外箱本体１１０と基台１３０と外箱底板１４０と左側補強部材１５０とに囲われた空間１５０´を区画形成して、左側補強部材１５０の背面補強部１５０ｃには、略コの字形で貫通された開口孔１５０ｄが設けられ、コの字の始点あるいは終点を成す端面同士を接近させる形で向かい合わせて、端面が複数隣接した間に残存形成した接続部を切り離すことによって開口孔１５０ｄと開口孔１５０ｄとがつながることにより開口部を形成するものである。【選択図】図５
2008217404.tif 000002
【特許請求の範囲】
【請求項１】
自動販売機の外箱本体内を上部に商品を収納する収容室、下部に機械室となるように外箱底板で上下に区画形成し、前記外箱底板の下部を補強して前記機械室を左右に区画する補強部材で、前記機械室の背面部と対応する前記補強部材の背面補強部には複数の開口孔が形成されていることを特徴とする自動販売機。
【請求項２】
前記背面補強部に形成された開口孔間には切り離し可能な接続部を形成したことを特徴とする請求項１に記載の自動販売機。
【請求項３】
前記開口孔は略コ字形状で、左右対称に２つの開口孔によって形成されていることを特徴とする請求項１または２に記載の自動販売機。
【請求項４】
前記補強部材は前記背面補強部と側面支持部とが一体の鋼板を折り曲げ加工して構成されたことを特徴とする請求項１から３のいずれか一項に記載の自動販売機。
【請求項５】
前記補強部材を前記機械室内の左右両側に配置したことを特徴とする請求項１から４のいずれか一項に記載の自動販売機。
【発明の詳細な説明】
【技術分野】
【０００１】
本発明は、自動販売機に関し、より詳細には、例えば外箱等の筺体の構造に工夫を施した自動販売機に関するものである。
【背景技術】
【０００２】
例えば缶飲料やペットボトル飲料等の商品を販売する自動販売機は、筐体となる外箱を有している。外箱には、前面に開口が設けられ、かつこの開口を開閉する扉体が取り付けてある。この外箱は、鋼板製の複数の部材を適宜接合することによって形成してある。具体的には、これら複数の部材のそれぞれに予め設けた接合部を互いに重ね合わせた状態で溶接することによって接合して形成してある。
【０００３】
一方、特許文献１では、複数の部材のそれぞれに予め設けた接合部を互いにカシメ加工にて係合させることにより、複数の部材を接合して形成した外箱を備えた自動販売機が提案されている。
【特許文献１】特開２００５−１４１６８９号公報
【発明の開示】
【発明が解決しようとする課題】
【０００４】
近年、自動販売機の背面下方に錘などを取り付けて重心位置を下げることにより、転倒に対してさらに安全性を高めることが行われている。
【０００５】
しかし、上記従来の自動販売機では、外箱の外側に錘を取り付けるので、外形寸法が大きくなることにより設置スペースが広く必要となった。
【０００６】
本発明は、上記実情に鑑みて、自動販売機の内側下部の空間への収納を可能とする自動販売機を提供することを目的とする。
【課題を解決するための手段】
【０００７】
上記従来の課題を解決するために、本発明の自動販売機は、自動販売機の外箱本体内を上部に商品を収納する収容室、下部に機械室となるように外箱底板で上下に区画形成し、前記外箱底板の下部を補強して前記機械室を左右に区画する補強部材で、前記機械室の背面部と対応する前記補強部材の背面補強部には複数の開口孔が形成されているものである。
【発明の効果】
【０００８】
本発明の自動販売機は、自動販売機の設置後、開口部を加工しやすいように複数の開口孔を形成しており、自動販売機の背面側から開口孔を通して機械室内の空間部に錘などを置くことができ、自動販売機の姿勢を安定させることができる。
【発明を実施するための最良の形態】
【０００９】
請求項１に記載の発明は、自動販売機の外箱本体内を上部に商品を収納する収容室、下部に機械室となるように外箱底板で上下に区画形成し、前記外箱底板の下部を補強して前記機械室を左右に区画する補強部材で、前記機械室の背面部と対応する前記補強部材の背面補強部には複数の開口孔が形成されているものである。
【００１０】
これによって、開口孔を加工することで自動販売機の背面側から機械室内に錘などを置くことができ、自動販売機の姿勢を安定させることができる。
【００１１】
請求項２に記載の発明は、請求項１に記載の発明にさらに、前記背面補強部に形成された開口孔間には切り離し可能な接続部を形成したものである。
【００１２】
これによって、接続部を切り離すことで必要に応じて簡単に機械室内部に連通する開口部を形成することができる。
【００１３】
請求項３に記載の発明は、請求項１または２に記載の発明にさらに、前記開口孔は略コ字形状で、左右対称に２つの開口孔によって形成されているものである。
【００１４】
これによって、開口孔を加工しない場合は、機械室内へのネズミ等の侵入や悪戯を防止することができ、機会室内部と連通するように加工する場合は簡単に加工することができる。
【００１５】
請求項４に記載の発明は、請求項１から３のいずれか一項に記載の発明にさらに、前記補強部材は前記背面補強部と側面支持部とが一体の鋼板を折り曲げ加工して構成されたものである。
【００１６】
これによって、機械室をさらに補強することができる。
【００１７】
請求項５に記載の発明は、請求項１から４のいずれか一項に記載の発明にさらに、前記補強部材を前記機械室内の左右両側に配置したものである。
【００１８】
これによって、自動販売機の機械室内の左右両側に錘などを設置することができ、左右のバランスを安定させることができる。
【００１９】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２０】
（実施の形態１）
以下に添付図面を参照して、本発明に係る自動販売機の好適な実施の形態を詳細に説明する。尚、この実施の形態により本発明が限定されるものではない。
【００２１】
図１は、本発明の実施の形態１に係る自動販売機の開扉状態を示した斜視図である。図２は図１における外箱を示した斜視図、図３は図１における外箱の背板と側面部との接合を説明した断面平面図、図４は図１における外箱の要部を示す斜視図、図５は図１における外箱の分解斜視図、図６は図１における外箱の要部を示す斜視図、図７は図１における外箱の要部を示す斜視図、図８は図１における外箱の開口部形成後の斜視図である。
【００２２】
図１において、自動販売機は、例えば缶飲料やペットボトル飲料等の商品を販売するもので、外箱（筺体）１００と、扉体３００とを備えて構成してある。外箱１００は、図２に示したように、鋼板製の複数の部材を適宜接合して形成したもので、前面に開口１０１を有した直方状の形状をなしている。外箱１００の内部は、収容室Ｒおよび機械室Ｍが上下に区画してある。この外箱１００の構成についての詳細は後述する。
【００２３】
収容室Ｒには、商品収納ラック２００が複数収容してあり、その内部に上下に蛇行した商品収納通路を有している。商品収納ラック２００の下端部には、商品を払い出すための払出機構（図示せず）が設けてある。
【００２４】
商品搬出シュータ２０１は、商品収納ラック２００の下方域となる位置に、前方に向けて下方に傾斜する態様で配置してある。
【００２５】
収容室Ｒにおける商品搬出シュータ２０１の下方域には、図示しない商品加熱ヒータ、庫内送風ファンおよび蒸発器が配設してあり、商品収納ラック２００の内部の商品を加熱、あるいは冷却することに利用される。
【００２６】
機械室Ｍには、図示しない圧縮機、凝縮器、膨張器といった冷却ユニットの構成部品、並びに庫外送風ファンが配設してある。
【００２７】
扉体３００は、外箱１００の開口１０１を開閉するためのもので、その一側が外箱１００にヒンジを介して開口１０１に対して揺動可能に取り付けてある。この扉体３００は、外扉３１０および内扉３２０を備えて構成してある。
【００２８】
外扉３１０は、閉じた状態において自動販売機の前面を構成するもので、その下端部に商品取出口３１１が設けてある。この外扉３１０は、利用者からの販売要求を受け付けるための機能部、例えばコインメック３１２や図示しない商品選択用ボタンを備えている。
【００２９】
内扉３２０は、その一側が外扉３１０にヒンジを介して揺動可能に取り付けてある。内扉３２０は、熱移動を抑制するために断熱性を有している。また、図示の例では、内扉３２０として上下二分割したものを適用している。内扉３２０には、外扉３１０が閉じた状態において商品搬出シュータ２０１の前方域となり、かつ商品取出口３１１に通じる部位に、商品搬出口３２１が設けてある。
【００３０】
以上のように構成した自動販売機では、利用者からの販売要求を受けると、商品収納ラック２００の内部において最下段にある商品が順次払い出され、商品搬出シュータ２０１を通じて商品搬出口３２１に搬出された後、商品取出口３１１に至る。この結果、利用者は、商品取出口３１１を通じて商品を取り出すことが可能になる。
【００３１】
図２を適宜用いて外箱１００の構成について説明する。外箱１００は、外箱本体１１０、背板１２０と、基台１３０と、外箱底板１４０とを備えて構成してある。
【００３２】
外箱本体１１０は、外箱１００の上面をなす上面部１１１と、上面部１１１の左右端から下方に延在する一対の側面部１１２とを備えて構成してある。
【００３３】
背板１２０は、外箱１００の後面をなすものである。この背板１２０は、図３に示すように一対の側面部１１２の後端部（係合部）１１２ａに溶接により接合してある。
【００３４】
基台１３０は、外箱１００の下面をなすもので、その左右幅が上面部１１１のものと略等しく、かつその前後幅が上面部１１１のものよりも大きく構成してある。
【００３５】
外箱底板１４０は、外箱１００の内部を収容室Ｒと機械室Ｍとに区画するためのもので、その左右幅および前後幅が上面部１１１のものとそれぞれ略等しく構成してある。基台１３０と外箱底板１４０との間には、図４、図５に示したように、左側補強部材１５０および右側補強部材１６０と、それぞれ所定の係合面（図示せず）を介して溶接により接合してある。
【００３６】
左側補強部材１５０は、前後に延在する側面支持部１５０ａと、側面支持部１５０ａの前端から左方に屈曲延在する正面支持部１５０ｂと背板１２０の左下端部とその上部を溶接接合する背面補強部１５０ｃとを備えている。
【００３７】
したがって、外箱本体１１０と基台１３０と外箱底板１４０と左側補強部材１５０とに囲われた空間１５０´を区画形成する。また、側面支持部１５０ａと正面支持部１５０ｂと背面補強部１５０ｃとは、一体となった鋼板部材を折り曲げ加工して製作されている。
【００３８】
右側補強部材１６０は、前後に延在する側面支持部１６０ａと、側面支持部１６０ａの前端から右方に屈曲延在する正面支持部１６０ｂと背板１２０の右下端部とその上部を溶接接合する背面補強部１６０ｃとを備えている。
【００３９】
したがって外箱本体１１０と基台１３０と外箱底板１４０と右側補強部材１６０とに囲われた空間１６０´を区画形成する。また、側面支持部１６０ａと正面支持部１６０ｂと背面補強部１６０ｃとは、一体となった鋼板部材を折り曲げ加工して製作されている。
【００４０】
これら左側補強部材１５０および右側補強部材１６０は、それぞれの上下高さが同一となるように構成してある。
【００４１】
そして、左側補強部材１５０および右側補強部材１６０が基台１３０に対して、所定の係合面（図示せず）を介して溶接により係合されて接合することにより、図４に示したような基台部１００ａが構成される。
【００４２】
上記外箱本体１１０と背板１２０および基台部１００ａは、所定の係合面を介して溶接によって互いに接合され、外箱１００が形成される。
【００４３】
図６、図７を用いてさらに詳細に説明する。左側補強部材１５０の背面補強部１５０ｃには、略コの字形で貫通された開口孔１５０ｄが設けられ、コの字の始点あるいは終点を成す端面１５０ｅ同士を接近させる形で向かい合わせて設けられている。端面１５０ｅ同士は数ミリ程度の距離をおいて向かい合い、端面１５０ｅが複数隣接した間には接続部１５０ｆを残存している。
【００４４】
同様に、右側補強部材１６０の背面補強部１６０ｃには、略コの字形で貫通された開口孔１６０ｄが設けられ、コの字の始点あるいは終点を成す端面１６０ｅ同士を接近させる形で向かい合わせて設けられている。端面１６０ｅ同士は数ｍｍの距離をおいて向かい合い、端面１６０ｅが複数隣接した間には接続部１６０ｆを残存している。
【００４５】
以上説明したように、本発明の実施の形態に係る自動販売機では、図８のように接続部１５０ｆを切り離すことにより開口孔１５０ｄと開口孔１５０ｄとがつながることにより開口部１５０ｇを形成する。よって、外側からこの開口部１５０ｇを通して空間１５０´内部に例えば錘や収納物を配備できる。
【００４６】
同様に、接続部１６０ｆを切り離すことにより開口孔１６０ｄと開口孔１６０ｄとがつながることにより開口部１６０ｇを形成する。よって、外側からこの開口部１６０ｇを通して空間１６０´内部に例えば錘や収納物を配備できるので、自動販売機の左右バランスを機械室Ｍ内で安定させるので、低重心の自動販売機を提供することができる。
【００４７】
さらに左側補強部材１５０は、側面支持部１５０ａと正面支持部１５０ｂと背面補強部１５０ｃとは一体となった鋼板部材を折り曲げ加工して製作されているので、組立工数を増やすことがない。
【００４８】
同様に、右側補強部材１６０もまた、側面支持部１６０ａと正面支持部１６０ｂと背面補強部１６０ｃとは一体となった鋼板部材を折り曲げ加工して製作されているので、組立工数を増やすことがない。
【産業上の利用可能性】
【００４９】
以上のように、本発明に係る自動販売機は、低重心の自動販売機を提供することができ、例えば缶入り飲料やペットボトル入り飲料等を販売する自動販売機として有用である。
【図面の簡単な説明】
【００５０】
【図１】本発明の実施の形態１に係る自動販売機の開扉状態を示した斜視図
【図２】図１における外箱を示した斜視図
【図３】図１における外箱の背板と側面部との接合を説明した断面平面図
【図４】図１における外箱の要部を示す斜視図
【図５】図１における外箱の分解斜視図
【図６】図１における外箱の要部を示す斜視図
【図７】図１における外箱の要部を示す斜視図
【図８】図１における外箱の開口部形成後の斜視図
【符号の説明】
【００５１】
１００  外箱
１１０  外箱本体
１３０  基台
１４０  外箱底板
１５０  左側補強部材（補強部材）
１５０ａ  側面支持部
１５０ｂ  正面支持部
１５０ｃ  背面補強部
１５０ｄ  開口孔
１５０ｅ  端面
１５０ｆ  接続部
１５０ｇ  開口部
１５０´  空間
１６０  右側補強部材（補強部材）
１６０ａ  側面支持部
１６０ｂ  正面支持部
１６０ｃ  背面補強部
１６０ｄ  開口孔
１６０ｅ  端面
１６０ｆ  接続部
１６０ｇ  開口部
１６０´  空間
Ｍ    機械室
Ｒ    収容室
【図１】
2008217404.tif 000003
【図２】
2008217404.tif 000004
【図３】
2008217404.tif 000005
【図４】
2008217404.tif 000006
【図５】
2008217404.tif 000007
【図６】
2008217404.tif 000008
【図７】
2008217404.tif 000009
【図８】
2008217404.tif 000010